(57)【要約】【課題】電源遮断が発生した場合、主制御装置から払出制御装置にコマンドが出ないようにして、遊技結果の確かさを図る。【解決手段】電源装置２が停電１２による電源遮断信号１１を主制御装置２１に配線１４を通して出力すると、主制御装置２１のマイクロコンピュータがプログラムされたポーリングにより電源遮断信号１１をポート入力で検出するのに伴い電源遮断信号２３を払出制御装置３１に配線２４を通して出力するとともに電源遮断信号１１に対するバックアップの退避処理を実行する一方、払出制御装置３１のマイクロコンピュータが電源遮断信号２３を検出するのに伴い電源遮断信号２３に対するバックアップの退避処理を実行する。【選択図】        図１
2004174150.tif 000002
【特許請求の範囲】
【請求項１】
遊技の結果として遊技媒体を賞品として払い出す遊技機の電源遮断処理方法であって、遊技機の電源装置が電源遮断信号を遊技全般の制御を担う主制御装置に出力すると、主制御装置のマイクロコンピュータがプログラムされたポーリングにより電源装置からの電源遮断信号をポート入力で検出するのに伴い電源遮断信号を賞品払出の制御を担う払出制御装置に出力するとともに電源遮断信号に対するバックアップの退避処理を実行する一方、払出制御装置のマイクロコンピュータが主制御装置からの電源遮断信号を検出するのに伴い電源遮断信号に対するバックアップの退避処理を実行することを特徴とする遊技機の電源遮断処理方法。
【請求項２】
払出制御装置のマイクロコンピュータがプログラムされたポーリングにより主制御装置からの電源遮断信号をポート入力で検出するのに伴い電源遮断信号に対するバックアップの退避処理を実行することを特徴とする請求項１記載の遊技機の電源遮断処理方法。
【請求項３】
遊技の結果として遊技媒体を賞品として払い出す遊技機の電源遮断処理装置であって、電源装置と遊技全般の制御を担う主制御装置とが電源遮断信号を電源装置から主制御装置に出力可能に配線で接続され、主制御装置と賞品払出の制御を担う払出制御装置とが電源遮断信号を主制御装置から払出制御装置に出力可能に配線で接続されたことを特徴とする遊技機の電源遮断処理装置。
【発明の詳細な説明】
【０００１】
【発明の属する技術分野】
本発明はパチンコ機やスロットマシンなどのような遊技の結果として遊技媒体を賞品として払い出す遊技機の電源遮断に対する処理方法およびその装置に関する。
【０００２】
【従来の技術】
図２は従来のパチンコ機を示す。このパチンコ機は電源装置５１が停電時に電源遮断信号５２を遊技全般の制御を担う主制御装置５３および賞球や貸球としての球払出の制御を担う払出制御装置５４に別々に出力し、主制御装置５３および払出制御装置５４が電源装置５１から入力された電源遮断信号５２による外部割り込み処理を実行することで停電発生時点からの処理を電源が停電から復帰した場合に続行させるためのバックアップに必要な退避処理を行っている（例えば、特許文献１参照）。
【０００３】
【特許文献１】
特開２００１−４６６０２号公報（第５頁、段落番号００４４、００５６、００８４、図１）
【０００４】
【発明が解決しようとする課題】
しかしながら、前記従来例は、外部割り込み処理が無視することの不可能な処理であるとともに主制御装置５３および払出制御装置５４におけるメイン処理のどのタイミングで発生するかが解らず、ＣＰＵのレジスタやプログラムカウンタのスタックポインタへの退避処理を行うプログラムが複雑であるという問題点があった。このようなことから、上記プログラムを簡単にするために、主制御装置５３および払出制御装置５４において、電源遮断信号５２のポート入力でポーリングを個別に行って電源装置５１からの電源遮断信号５２を検出することも考えられるが、主制御装置５３のポーリング周期と払出制御装置５４のポーリング周期とのずれによって、例えば、図３に示すように、電源遮断信号５２が主制御装置５３に入力される直前で、主制御装置５３が払出開始や払出停止などのコマンド５５を払出制御装置５４に出力し、そのコマンド５５が払出制御装置５４に到達する前に、払出制御装置５４が電源遮断信号５２を入力している場合、この払出制御装置５４は上記主制御装置５３からのコマンド５５（図３の時刻ｔ４から時刻ｔ５までの時間におけるコマンド５５）を受け取ることができないという不都合があるので、にわかに採用しがたいものである。図２の符号ＮＭＩは外部割り込み処理を表わす。
【０００５】
そこで、本発明は電源装置から電源遮断信号を主制御装置に出力し、主制御装置から電源遮断信号を払出制御装置に出力することによって、電源遮断が発生した場合、主制御装置から払出制御装置にコマンドが出ないようにして、遊技結果の確かさを向上することができる遊技機の電源遮断処理方法およびその装置を提供するものである。
【０００６】
【課題を解決するための手段】
本発明に係る遊技の結果として遊技媒体を賞品として払い出す遊技機の電源遮断処理方法は、遊技機の電源装置が電源遮断信号を遊技全般の制御を担う主制御装置に出力すると、主制御装置のマイクロコンピュータがプログラムされたポーリングにより電源装置からの電源遮断信号をポート入力で検出するのに伴い電源遮断信号を賞品払出の制御を担う払出制御装置に出力するとともに電源遮断信号に対するバックアップの退避処理を実行する一方、払出制御装置のマイクロコンピュータが主制御装置からの電源遮断信号を検出するのに伴い電源遮断信号に対するバックアップの退避処理を実行することによって、電源遮断が発生した場合、電源装置から電源遮断信号を主制御装置に出力し、主制御装置から電源遮断信号を払出制御装置に出力するので、払出制御装置の電源遮断処理移行後に主制御装置から払出制御装置へコマンドが出なくなり、有価に関する遊技の結果を正確に処理することができる。本発明に係る遊技の結果として遊技媒体を賞品として払い出す遊技機の電源遮断処理装置は、電源装置と遊技全般の制御を担う主制御装置とが電源遮断信号を電源装置から主制御装置へ出力可能に接続され、主制御装置と賞品払出の制御を担う払出制御装置とが電源遮断信号を主制御装置から払出制御装置に出力可能に接続されたことによって、電源遮断が発生した場合、電源装置から主制御装置に電源遮断信号を配線で送信し、主制御装置から払出制御装置に電源遮断信号を配線で送信するので、電源装置から主制御装置に電源遮断信号が正確に送信され、主制御装置から払出制御装置に電源遮断信号が正確に送信され、有価に関する遊技の結果を正確に処理することができる。
【０００７】
【発明の実施の形態】
図１は一実施形態に係るパチンコ機１の電源遮断処理方法およびその装置を模式的に示す。図１において、パチンコ機１は裏側の電源装置２における電源スイッチ３が投入され、電源装置２からパチンコ機１の裏側における制御装置（制御装置として図１では主制御装置２１および払出制御装置３１だけを図示してある）に電力が図外の配線を通して供給され、制御装置が起動し、パチンコ機１の前側における受皿４に球が入れられた状態において、遊技者がパチンコ機１の前側におけるハンドルグリップと呼ばれるような球発射操作機構５を操作すると、その操作量に応じて制御装置（具体的には図１の払出制御装置３１と同体の図外の発射制御装置または図１の払出制御装置３１と別体の図外の発射制御装置）が配線３３を通してパチンコ機１の内部における球発射機構６を駆動する。その駆動により球発射機構６が受皿４から供給された球を１個ずつパチンコ機１の内部における遊技主体である遊技盤７の遊技領域に向けて発射する。
【０００８】
遊技盤７の遊技領域から球が当該遊技領域に配置された複数の入賞部品８のいずかに入賞し、その入賞した球を検出した球検出器９が入賞信号１０を主制御装置２１に配線１３を通して出力する。主制御装置２１は入賞信号１０が主制御装置２１のマイクロコンピュータに入力された入力ポートの位置の違いで、どの入賞部品８に対応する球検出器９からの入賞信号１０であるかを識別し、払い出すべき設定賞球数を含む払出開始コマンドを払出制御装置３１に出力する。払出制御装置３１のマイクロコンピュータは主制御装置２１から入力された払出開始コマンドで払出機構４１のアクチュエータ４２を払出制御する。これによって、アクチュエータ４２に連結された払出部材が駆動して、払出機構４１が入賞という遊技の結果に対する換金性を有する賞品たる賞球としての球を遊技者に供給すべく受皿４に払い出す。
【０００９】
本実施形態では、電力供給系統の停電１２による電源遮断に対する制御装置の処理方法およびその装置が対象であり、制御装置を遊技全般の制御を担う主制御装置２１と賞球や貸球としての球払出の制御を担う払出制御装置３１とを例として説明する。電源装置２はパチンコ機１が設置される図外のパチンコ店の島と呼ばれる遊技機設置設備における島電源装置から供給される２４Ｖの交流電源を当該パチンコ機１で使用する複数の定電圧の直流電源や粗整流の直流電源に変換する一方、島電源装置への電力供給系統である商用電源系統で停電１２が発生することで、島電源からの供給電圧が電源装置２に設定された所定値よりも低下した場合、電源遮断信号１１を出力する。この電源装置２が電源遮断信号１１を出力する場合、次の２つが考えられる。電源遮断信号１１が５ボルト程度であるので、電源装置２の電圧が上記所定値から「０」になる間に電源装置２が電源遮断信号１１を出力する。この場合には、主制御装置２１や払出制御装置３１のいずれか一方または両方がバックアップ電源を持ち、当該バックアップ電源で電源遮断信号１１に伴う主制御装置２１や払出制御装置３１の動作を維持する。もう１つは電源装置２にコンデンサのようなバックアップ電源を搭載し、そのバックアップ電源で電源遮断信号１１を出力する。電源装置２がバックアップ電源を搭載した場合は、主制御装置２１や払出制御装置３１がバックアップ電源を持たなくても、電源装置２のバックアップ電源を主制御装置２１や払出制御装置３１に供給することで、電源遮断信号１１に伴う主制御装置２１や払出制御装置３１の動作を維持することができる。
【００１０】
主制御装置２１のマイクロコンピュータは電源装置２から供給される定電圧の直流電源で起動し、球検出器９から配線１３を通して入賞信号１０を入力インターフェースから入力すると、マイクロコンピュータがＲＯＭに格納されたプログラムにしたがいＲＡＭを用いて遊技全般の処理を実行する。主制御装置２１は払出開始や払出停止などのコマンドおよび電源遮断信号２３を払出制御装置３１に配線２４を通して出力する。また、主制御装置２１のマイクロコンピュータは入力インターフェースから入力した入賞信号１０が電動チューリップや可変入賞装置やキャラクタなどのような電動役物に対応する場合は当該電動役物のアクチュエータを停止制御する加工処理および出力処理を実行する。この主制御装置２１のプログラムはマイクロコンピュータに内蔵されたハードで構成された割り込み処理（内部割り込み処理）用のタイマーが例えば４ｍｓｅｃ周期で出力する割込信号で周期的に起動する。
【００１１】
払出制御装置３１のマイクロコンピュータは電源装置２から供給される定電圧の直流電源で起動し、払出開始コマンドを入力インターフェースから入力すると、マイクロコンピュータがＲＯＭに格納されたプログラムにしたがいＲＡＭを用いて球払出開始の処理を実行して払出機構４１のアクチュエータ４２を払出制御する加工処理および出力処理を実行する。そして、払出機構４１が球を払い出すのに伴い、払出機構４１の払い出される球を検出した図外の球検出器が計数信号を払出制御装置３１に図外の配線を通して出力する。払出制御装置３１のマイクロコンピュータは計数信号を入力インターフェースから入力すると、マイクロコンピュータが球払出計数の処理を実行する。その球払出計数値が主制御装置２１からの払出コマンドに含まれた設定賞球数と一致すると、払出制御装置３１のマイクロコンピュータは球払出停止の処理を実行して払出機構４１のアクチュエータ４２を停止制御する加工処理および出力処理を実行する。この払出制御装置３１のプログラムはマイクロコンピュータに内蔵されたハードで構成された割り込み処理用のタイマーが例えば２ｍｓｅｃ周期で出力する割込信号で周期的に起動する。
【００１２】
とりわけ、電源装置２が停電１２により電源遮断信号１１を主制御装置２１に配線１４を通して時刻ｔ１で出力すると、主制御装置２１のマイクロコンピュータがプログラムされたポーリング手段２２によるポート入力で電源装置２からの電源遮断信号１１を時刻ｔ２で検出することで、電源遮断信号２３を払出制御装置３１に配線２４を通して出力した後に、停電１２の発生時点からの処理を電源が停電１２から復帰した場合に続行させるためのバックアップに必要な自身の退避処理を実行する。払出制御装置３１のマイクロコンピュータがプログラムされたポーリング手段３２によるポート入力で主制御装置２１からの電源遮断信号２３を時刻ｔ３で検出することで、停電１２の発生時点からの処理を電源が停電１２から復帰した場合に続行させるためのバックアップに必要な自身の退避処理を実行する。
【００１３】
本実施形態の電源遮断処理方法によれば、電源装置２が停電１２による電源遮断信号１１を主制御装置２１に出力すると、主制御装置２１のマイクロコンピュータがプログラムされたポーリングにより電源遮断信号１１をポート入力で検出するのに伴い電源遮断信号２３を払出制御装置３１に出力するとともに電源遮断信号１１に対するバックアップの退避処理を実行する一方、払出制御装置３１のマイクロコンピュータが電源遮断信号２３を検出するのに伴い電源遮断信号２３に対するバックアップの退避処理を実行するので、停電１２による電源遮断が発生した場合、払出制御装置３１の電源遮断処理移行後に、主制御装置２１から払出制御装置３１に払出開始や払出停止などのコマンドが出なくなり、有価に関する遊技の結果を正確に処理することができる。
【００１４】
本実施形態の電源遮断処理装置によれば、電源装置２と主制御装置２１とが電源遮断信号１１を電源装置２から主制御装置２１に出力可能に配線１４で接続され、主制御装置２１と払出制御装置３１とが電源遮断信号２３を主制御装置２１から払出制御装置３１に出力可能に配線２４で接続されているので、停電１２による電源遮断が発生した場合、電源装置２から主制御装置２１に電源遮断信号１１が配線１４で正確に送信され、主制御装置２１から払出制御装置３１に電源遮断信号２３が配線２４で正確に送信され、有価に関する遊技の結果を正確に処理することができる。
【００１５】
払出制御装置３１ではポーリングによらず電源遮断信号２３の入力で外部割り込み処理を実行するようにすれば、外部割り込み処理で電源遮断信号によるバックアップ処理を行う通常形態の払出制御装置を払出制御装置３１として使用することができる。これに対し、実施形態のように払出制御装置３１でもポーリングを行えば、払出制御装置３１のプログラムを簡素化することができる。
【図面の簡単な説明】
【図１】一実施形態であって、ａ図はパチンコ機の電源遮断処理方法および装置を示す模式図、ｂ図は電源遮断処理のタイミングチャート。
【図２】従来例を示す模式図。
【図３】従来例の電源遮断処理のタイミングチャート。
【符号の説明】
２  電源装置
１１  電源遮断信号（電源装置２から主制御装置２１への）
１４  配線（電源装置２と主制御装置２１との）
２１  主制御装置
２２  ポーリング手段（主制御装置２１の）
２３  電源遮断信号（主制御装置２１から払出制御装置３１への）
２４  配線（主制御装置２１と払出制御装置３１との）
３１  払出制御装置
３２  ポーリング手段（払出制御装置３１の）
【図１】
2004174150.tif 000003
【図２】
2004174150.tif 000004
【図３】
2004174150.tif 000005